(57)【要約】      （修正有）【課題】大きな響きおよび十分な音質を生成する時計の時打ち機構を実現すること。【解決手段】計時器１の時打ち機構装置は、ムーブメントを囲みほぼ１つの面（ｘ、ｙ）内に延在するゴング２と、時計プレート８に固定されたゴング支持体３とを有する。ゴング２はゴング支持体３に取付けられる。少なくとも１つのハンマー５が、該ゴング２を振動させるためにこれを叩く。ハンマー５は、該面に対して傾斜した接触動作方向でゴング２を叩く。【選択図】図１
2011047945.tif 000002
【特許請求の範囲】
【請求項１】
ムーブメントを囲みほぼ１つの面（ｘ−ｙ）内に延在する少なくとも１つのゴング（２）と、
時計プレート（８）に固定され、前記ゴングが取付けられる少なくとも１つのゴング支持体（３）と、
前記ゴング（２）を振動させるために前記ゴングを叩く少なくとも１つのハンマー（５）とを有する時打ち機構装置を備える時計（１）であって、
前記ハンマー（５）が、前記面（ｘ−ｙ）に対して傾斜した接触動作方向で前記ゴングを叩くように、前記面に平行な軸を中心として前記時計プレートに対して回転可能に取り付けられている、
ことを特徴とする時計。
【請求項２】
所定の時間に作動され、前記ハンマー（５）を離れた位置からその時打ち位置へと押しやる駆動部材（４）を有する、請求項１に記載の時計。
【請求項３】
前記ハンマー（５）をその離れた位置へと引っ張る戻りばね（６）を有する、請求項２に記載の時計。
【請求項４】
前記駆動部材（４）が、前記面（ｘ、ｙ）に垂直な軸（ｚ）を中心として回転可能に取り付けられ、前記ハンマー（５）を叩く行程内で所定の時間に回転するように駆動される、請求項２または３に記載の時計。
【請求項５】
前記ゴング（２）が時計機構を囲む細長いバーである、請求項１から４のいずれかに記載の時計。
【請求項６】
前記バーが円形または矩形を形成することを特徴とする、請求項５に記載の時計。
【請求項７】
ムーブメントを囲むフレームがあり、前記ゴング（２）がフレーム内に配置される、請求項１から６のいずれかに記載の時計。
【請求項８】
前記ゴング（２）が、少なくとも一端（２２）を利用して前記ゴング支持体（３）に固定される、請求項１から７のいずれかに記載の時計。
【請求項９】
前記ゴング支持体（３）が、前記時計プレート（８）の底部から突出し、前記ゴング（２）が前記時計プレート（８）の底部より上に配置される、請求項１から８のいずれかに記載の時計。
【発明の詳細な説明】
【技術分野】
【０００１】
本発明は時計の時打ち機構に関し、特に、振動を生成するためにハンマーで叩かれるゴングを有する機械的時打ち機構付きの時計に関する。
【背景技術】
【０００２】
携帯時計製作の分野では、ミニッツリピータなどの時打ちメカニズムが嵌め込まれたムーブメントを作製するのに従来式の設計が使用される。これらの実施形態では、使用されるゴングは、携帯時計の文字板に平行な面内に位置する円形の金属ワイヤである。金属ワイヤは、携帯時計のフレーム内でムーブメントを囲んで配置される。ゴングの一端は、例えばろう付けによってゴング支持体に固定される。ゴングの他端は一般に自由である。ゴング支持体は、時計プレートに固定され、金属ワイヤを時計プレートより上に保持する。携帯時計は、所定の時間に作動するハンマーを有する。ゴング支持体のすぐそばでハンマーが衝突することによってゴングの振動が生じる。ハンマーは、ゴングの面内で回転し、ゴングをその面内で振動させる。ゴングの振動の一部は時計プレートに伝達される。次いで時計プレートが、ゴングの面に平行な面内で振動する。
【０００３】
生じた振動は複数の固有周波数を有し、特に可聴領域ではその数と強度はゴングの幾何学形状および材料の物理的特性に左右される。一般に音響スペクトル全体でピッチが固定された楽音を生成するには、基本周波数（これは第１調波とも呼ばれる）と、基本周波数の整数倍の１つまたは複数の調波が存在する。基本より高い周波数が最も低い周波数の整数倍ではない他のケースでは、それらは「部分音(partials)」と定義される。複数の部分音を含む音は、打楽器またはいくつかの弦楽器において、あるいは携帯時計の時打ち機構のゴングにぶつかるハンマーの衝撃または衝突などの打撃による一時的な現象で主に見られる。
【０００４】
実際には響きの大きさは相対的に制限されており、時打ち機構のエネルギー効率は比較的低い。さらに時打ち機構の音質が概ね不十分なままであるのは、伝達される音が有する固有周波数の数が少ないためである。
【０００５】
また最新技術では、ベースプレート（地板）に固定されたベルを叩くために、ベースプレートに垂直な回転軸を中心として回転可能に設置されたハンマーの形態の時打ち機構の実施形態もある。この点に関しては米国特許第１，００１，０９５Ａ号を引用することができる。しかしながらこの実施形態は、相対的に大きな響きも満足のいく音質も生成しない。
【先行技術文献】
【特許文献】
【０００６】
【特許文献１】米国特許第１，００１，０９５Ａ号
【発明の概要】
【発明が解決しようとする課題】
【０００７】
本発明の目的は、これらの欠点の全てまたはその一部を克服することである。
【課題を解決するための手段】
【０００８】
本発明はしたがって、
−ムーブメントを囲みほぼ１つの面内に延在する少なくとも１つのゴングと、
−時計プレートに固定されゴングが取付けられる少なくとも１つのゴング支持体と、
−該ゴングを振動させるためにゴングを叩く少なくとも１つのハンマーとを備える時打ち機構装置を有する携帯時計であって、該面に対して傾斜した接触動作方向でゴングを叩くように、ハンマーが該面に平行な軸を中心として時計プレートに回転可能に取り付けられることを特徴とする時計、特に携帯時計に関する。
【０００９】
この時計の特定の実施形態が、従属請求項２から９に記載されている。
【００１０】
本発明による時計の１つの利点は、ハンマーがゴングの面の方向とは異なる方向で、すなわち該面に対して傾斜した接触動作方向で該ゴングを叩くように配置されていることである。ハンマーが傾斜した接触動作方向でゴングを叩くことから、振動がそれぞれ異なる時計の部品に対してより有効に生成されるため、時計の時打ち機構の効率が最適化される。
【００１１】
本発明の他の特徴および利点は、添付の図面を参照して、非制限的な例示を目的として提示された以下の記載において明らかになるであろう。
【図面の簡単な説明】
【００１２】
【図１】ハンマーが待機位置にある本発明による携帯時計の一実施形態の平面図である。
【図２】図１の携帯時計の詳細のＡ−Ａに沿った断面図である。
【図３】ハンマーが時打ち位置にある図１の実施形態の平面図である。
【図４】図３の携帯時計の詳細のＡ−Ａに沿った断面図である。
【発明を実施するための形態】
【００１３】
本発明は時打ち機構のゴングが嵌め込まれた携帯時計を提案する。ゴングは携帯時計のムーブメントをみ、ほぼ１つの面内に延在する。ハンマーは、ゴングを振動させるためにそれを叩く。ハンマーは該面に対して傾斜した接触動作方向でゴングを叩く。
【００１４】
ハンマーがゴングを叩く際、ゴングはしたがってその面に対して垂直に振動する。これによりゴングのエネルギー効率が高まる。さらにゴング支持体が時計プレートに牽引／圧縮応力を伝達することができるため、時計プレートへの振動の伝達も改善される。これはゴングのエネルギー効率をさらに高め、かつ生成される音のスペクトル密度を、特に低下させることによって周波数が近い部分音に起因する不協和音を減少させ、改善させることも可能である。時打ち機構に関して生成される部分音の数は増加する。
【００１５】
図１は、ハンマーが待機位置にある本発明による携帯時計１の内部の平面図である。図２は、図１の詳細のＡ−Ａに沿った断面図である。時計１は時計プレート８を有する。時計プレート８の内側部分にフレームが配置される。携帯時計１は、時計プレート８のフレーム内に収容された既知のムーブメント（図示せず）を有する。ムーブメントは典型的には機械式ムーブメントである。
【００１６】
携帯時計１はまた、フレーム内に収容されたゴング２とゴング支持体（ゴング・キャリア）３とを有する。ゴング支持体３は、時計プレート８に固定される。ゴング支持体３は、時計プレート８の底部に対して突出している。ゴング２はムーブメントを囲み、携帯時計１の文字板の面にほぼ平行なｘ−ｙ面内に概ね延在する。
【００１７】
ゴング２は、示される例では円形のバーの形態で作製される。このバーは、例えば金属ワイヤの形態で作製されてよい。ゴング２は、その一方の端部２２でゴング支持体３に固定される。ゴング２の他端２１は自由端である。ゴング支持体３は、時計プレート８の底部より上にゴング２を保持する。したがって方向ｚに沿ってゴング２のための隙間があり、その結果ゴング２はその方向ｚにも振動することができる。
【００１８】
携帯時計１は、作動させられるとゴング２を叩くハンマー５を有する。ハンマー５は、ゴング２に接触する叩き面５３を有する。図１および図２では、ハンマー５は、その叩き面５３がゴング２から離れた待機位置にある。ハンマー５は、ゴング２の面に対して平行な軸５１に枢動可能に配設され、この軸５１は、示される例では方向ｙを有する。ハンマー５はまた、叩き面５３にほぼ垂直な駆動面５２を有する。
【００１９】
携帯時計１は、時計プレート８に枢動可能に取り付けられる駆動部材４を有する。駆動部材４は、ｘ−ｙ面に垂直なｚ方向の軸の周りを枢動できる。
【００２０】
ストリップ状のばね６が、面５３をゴング２から離れる向きに動かす力を与えて、ハンマー５がその待機位置に戻される。ストリップ状の戻りばね６は、時計プレート８に固定された一端６１と、ハンマー５を引っ張る自由端６２とを有する。ばね６の自由端６２は、ハンマー５の内側面を引っ張る。停止部材７が、ストリップ状ばね６により引き起こされたハンマー５の枢動を制限し、その待機位置を規定する。
【００２１】
駆動部材４が、所定の時点で、ハンマー５をその離間位置から時打ち位置へと押しやる。図３および図４は、時打ち位置でのハンマー５と駆動部材４のそれぞれの位置を示す。
【００２２】
図面では、駆動部材４はその軸の周りを枢動する。駆動部材４は、その回転の過程で駆動面５２を叩くことによってハンマー５を押しやる。これによりハンマー５は、その待機位置からその時打ち位置へと枢動する。ハンマー５は、駆動部材４のｘ−ｙ面内での動きを、ｚ方向の軸回りの動きに変換する。次いで叩き面５３がゴング２に接触する。そしてゴング２が動かされ、振動を生成する。次いで駆動部材４は面５２から離れる向きに動かされ、ばね６が、ハンマー５を、ゴング２から離れた待機位置へと戻す。
【００２３】
叩き面５３がゴング２を叩く際、その接触動作の方向は、ほぼｚ方向に沿っており、したがってゴング２のｘ−ｙ面に対しては傾斜している。ハンマー５の瞬間速度は、面５３とゴング２が接触する時点ではｚ方向に向いている。したがってゴング２は、そのｘ−ｙ面に垂直な要素を有するムーブメントで駆動される。ゴング２による音の生成のエネルギー効率およびゴング支持体３を介しての時計プレート８への振動の伝達が向上する。面５３が平面である場合、接触動作の方向の角度は、衝突する時点で該面５３に対して垂直になる。
【００２４】
ハンマー５は、いつでも作動させることができる。駆動部材４は、一定の時間間隔でまたは所定の時間にハンマー５を作動させることができる。
【００２５】
ゴング２は、ここでは円形のバーの形態であり、これは携帯時計の内部で占める空間が小さくて済むことを意味する。バーは典型的には１ｍｍを下回る、例えばおよそ０．６ｍｍの直径を有する。例示のバーは環状体の一部を形成する。この環状体の一部は有利には３００°から３５０°の角度で延在する。しかし、バーは、音響上の理由で例えば矩形などの他の好適な形状を採ることも可能である。ゴング２は特に金属材料で作製されてよい。ゴング２の動きの幅を拡大するために、ハンマー５が叩く範囲は有利には、ゴング２がゴング支持体３に固定された場所から一定の距離のところに位置している。
【００２６】
示される例では、ゴング２の一端のみがゴング支持体（ゴング・キャリア）３に固定されている。しかしながら本発明はまた、同一のゴングが固定される複数のゴング支持体を備える携帯時計、またはゴングがその一端を利用する以外の方法でゴング支持体に固定される携帯時計にも適用される。
【００２７】
示される例では、携帯時計１は１つのハンマー５を有する。しかしながら本発明による携帯時計は、複数のハンマーを有することも可能であり、ゴングは、これに対応して複数の衝突面を有することができる。一巻きのゴングが示されているが、本発明はまた複数回重ねられたゴングにも適用される。
【００２８】
本発明は腕時計にも適用することができるが、アラーム時計または置き（掛け）時計などの他のタイプの時計にも適用可能である。
【００２９】
示されていないが、ハンマー５の接触動作方向は、プレート面に垂直なｚ方向に対して傾斜する場合もある。これによりゴング支持体３によって時計プレート８に捩り応力が伝達される。これはゴング２のエネルギー効率をさらに高め、かつ特に低下させることによって生成される響きのスペクトル密度を改善させることが可能であり、これは、周波数が近い部分音に起因する不協和音を減少させる。
【符号の説明】
【００３０】
１  携帯時計；  ２  ゴング；  ３  ゴング支持体；  ４  駆動部材；  
５  ハンマー；  ６  ばね；  ７  停止部材；  ８  時計プレート；  
２１、２２  ゴングの端部；  ５１  ハンマーの枢動軸；  ５２  駆動面；  
５３  叩き面。
【図１】
2011047945.tif 000003
【図２】
2011047945.tif 000004
【図３】
2011047945.tif 000005
【図４】
2011047945.tif 000006